(57)【要約】      （修正有）【課題】キャビネット内の棚板の跳ね上がりを抑制したトイレ用キャビネットを提供する。【解決手段】トイレ用キャビネットは、天板と、側壁面に沿って当接された側面板と、後壁面に沿って当接された背面板と、底板と、側面板及び背面板によって囲まれた収納空間を開閉する扉部と、棚ダボ２０によって収納空間内に水平に設置された棚板と、によって構成されている。また、棚ダボ２０は、鉛直方向に延びた縦部材２２と、縦部材２２の上端部から前方に向けて延びた上方片２３と、縦部材２２の下端部から前方に向けて延びた下方片２４と、ダボ穴に挿嵌するためのボス２５と、によって構成されている。【選択図】図３
2017035438.tif 000002
【特許請求の範囲】
【請求項１】
内面にダボ穴が形成された側面板と、
前記側面板と直交し、内面にダボ穴が形成された背面板と、
前記ダボ穴に挿嵌された棚ダボによって、前記側面板と前記背面板に囲まれた収納空間内に水平に設置された棚板と、を備えたトイレ用キャビネットであって、
前記棚ダボは、
前記ダボ穴に挿嵌される突起部と、
前記突起部を有して鉛直方向へ延びる縦部材と、
前記縦部材の上方から水平方向に延びて前記棚板の上面に近接する上方片と、
前記縦部材の下方から前記上方片と同一方向の水平方向に延びて前記棚板の下面に当接する下方片と、
を備えたトイレ用キャビネット。
【請求項２】
前記上方片及び前記下方片は、前記突起部とは反対方向へ延びている、請求項１に記載のトイレ用キャビネット。
【請求項３】
前記上方片及び前記下方片は、前記突起部に対して直交する方向へ延びている、請求項１に記載のトイレ用キャビネット。
【請求項４】
前記突起部は、外周面に外周方向へ向けて突起した凸部を有する、請求項１乃至３のいずれか１項に記載のトイレ用キャビネット。
【請求項５】
前記上方片及び前記下方片の少なくともどちらか一方には、先端に向かって前記下方片の上面と前記上方片の下面との間隔が広がるように傾斜面が形成された、請求項１乃至４のいずれか１項に記載のトイレ用キャビネット。
【請求項６】
前記棚板は、前記収納空間の開口側の側端面の一部が丸みを帯びており、
前記収納空間を開閉し、前記棚板の側端面の丸みに沿った形状をした扉部を備えた、請求項１乃至５のいずれか１項に記載のトイレ用キャビネット。
【発明の詳細な説明】
【技術分野】
【０００１】
本発明は、トイレ用キャビネットに係わり、特にコーナーに設置されるトイレ用キャビネットに関する。
【背景技術】
【０００２】
トイレルームにおいて使用されるトイレットペーパーや掃除道具等を収納するためのトイレ用キャビネットが設置される場合、一枚の側面板と一枚の背面板によって囲まれた収納空間を利用し、トイレ空間内の壁と壁とのコーナーに設置されるコーナー用のキャビネットを用いることで、狭いトイレ空間を活かすことができる。
【０００３】
従来、キャビネットに棚板を設ける場合、使用者が使用用途に応じて取り付け位置を変更できるように、両側面板、または両側面板と背面板に上下方向に間隔を置いて複数個の穴が形成されており、所望の高さの穴に棚ダボを差込み、棚板の下面に設けた下方に開口する凹部に棚ダボを挿入することが知られている（特許文献１参照）。
【先行技術文献】
【特許文献】
【０００４】
【特許文献１】実開平５−４１４４０号公報
【発明の概要】
【発明が解決しようとする課題】
【０００５】
しかし、このような棚板の取り付け方法では、棚板は棚ダボの上に載置されているだけなので安定性に欠けるだけでなく、棚板に対して外力が加わった場合に棚板が跳ね上がって回転してしまったり、棚板が棚ダボから外れてしまったりする恐れがあった。また、棚板に凹部を設けるために、棚板を加工する手間が生じていた。
【０００６】
特に、コーナー用のキャビネットにおいては、棚ダボによって棚板を支持できる箇所が限られており、扉側の棚板側端部は棚ダボによって支持することができないため、より跳ね上がりやすくなっている。
【０００７】
本発明は、上述した課題を解決するためになされたものであり、キャビネット内の棚板の跳ね上がりを抑制したトイレ用キャビネットを提供することを目的とする。
【課題を解決するための手段】
【０００８】
上記目的を達成するために、本発明の一態様に係るトイレ用キャビネットによれば内面にダボ穴が形成された側面板と、側面板と直交し、内面にダボ穴が形成された背面板と、ダボ穴に挿嵌された棚ダボによって、側面板と背面板に囲まれた収納空間内に水平に設置された棚板と、を備えたトイレ用キャビネットであって、棚ダボは、ダボ穴に挿嵌される突起部と、突起部を有して鉛直方向へ延びる縦部材と、縦部材の上方から水平方向に延びて棚板の上面に近接する上方片と、縦部材の下方から上方片と同一方向の水平方向に延びて棚板の下面に当接する下方片と、を備える。
【０００９】
この構成によれば、棚板を固定するための棚ダボは、縦部材の上方から水平方向に延びて棚板の上面に近接する上方片と、下方から上方片と同一方向の水平方向に延びて棚板の下面に当接する下方片と、を有しており、棚板の側端部が上方へ跳ね上がろうとすると、棚板の側端部上面が上方片と接触して棚板の上方への動きをブロックすることで棚板が跳ね上がるのを抑制することができる。
【００１０】
また、本発明の一態様に係るトイレ用キャビネットは、上方片及び下方片は、突起部とは反対方向へ延びている。
【００１１】
このように構成された本発明においては、収納空間内で棚ダボによって棚板を支持することで、棚板の跳ね上がりを抑制することができる。
【００１２】
また、本発明の一態様に係るトイレ用キャビネットは、上方片及び下方片は、突起部に対して直交する方向へ延びている。
【００１３】
このように構成された本発明においては、収納空間内で棚ダボによって棚板を支持することで、棚板の跳ね上がりを抑制するとともに、扉が開いた状態において棚板が収納空間から外へ飛び出さないように設置することができる。
【００１４】
また、本発明の一態様に係るトイレ用キャビネットは、突起部は、外周方向へ向けて突起した凸部を有する。
【００１５】
このように構成された本発明においては、棚ダボの突起部をダボ穴に挿入した状態において、突起部の有する凸部が抵抗となり、トイレ用キャビネットに衝撃が加わったとしても棚ダボがダボ穴から外れにくくなる。
【００１６】
また、本発明の一態様に係るトイレ用キャビネットは、上方片及び下方片の少なくともどちらか一方には、先端に向かって下方片の上面と上方片の下面との間隔が広がるように傾斜面が形成された、請求項１又は２に記載のトイレ用キャビネット。
【００１７】
このように構成された本発明においては、棚ダボの下方片と上方片の先端部の間隔が広くなっているため、下方片と上方片の間に棚板を設置しやすくなっている。
【００１８】
また、本発明の一態様に係るトイレ用キャビネットは、棚板は、収納空間の開口側の側端面の一部が丸みを帯びており、収納空間を開閉し、棚板の側端面の丸みに沿った形状をした扉部を備える。
【００１９】
このように構成された本発明においては、扉部側が丸みを帯びたトイレ用キャビネットとすることで、立方体や直方体のようなトイレ用キャビネットに比べて、狭いトイレ空間を活かすことができるとともに、意匠性を向上させることができる。
【発明の効果】
【００２０】
本発明によれば、キャビネット内の棚板の跳ね上がりを抑制したトイレ用キャビネットを提供することができる。
【図面の簡単な説明】
【００２１】
【図１】本発明の実施形態によるトイレ空間内を表す全体斜視図である。
【図２】本発明の実施形態による扉部を開いた状態でのトイレ用キャビネットの斜視図である。
【図３】本発明の実施形態による棚ダボの斜視図である。
【図４】本発明の実施形態によるトイレ用キャビネットの図２における点線Ｘの断面を矢印Ａから見た図である。
【図５】本発明の変形例によるトイレ用キャビネットの斜視図である。
【図６】本発明の変形例による棚ダボの斜視図である。
【図７】本発明の他の実施形態による棚ダボを用いたトイレ用キャビネットの斜視図である。
【図８】本発明の他の実施形態による棚ダボの斜視図である。
【発明を実施するための形態】
【００２２】
添付資料を参照して、本発明の実施形態によるトイレ用キャビネットを以下に説明する。
【００２３】
＜トイレ空間内の構成＞
まず、図１を参照して、本発明の実施形態によるトイレ空間内の全体構成について説明する。図１は、本発明の実施形態によるトイレ空間内を表す全体斜視図である。
【００２４】
図１に示すように、トイレ空間内Ｓ１には、大便器１が設置されており、大便器１の側方には壁面Ｗ１に沿って収納キャビネット５が立設されている。この収納キャビネット５の上方には、手洗い器３やトイレットペーパーホルダー４が設けられたカウンター２が側壁面Ｗ１及び後壁面Ｗ２に沿って水平に設置されている。
【００２５】
また、カウンター２の上方には、トイレ用キャビネット１０が設置されている。トイレ用キャビネット１０は、側壁面Ｗ１と、この側壁面Ｗ１と直交する後壁面Ｗ２とで形成されるコーナー付近に設置されている。
【００２６】
＜トイレ用キャビネットの構成＞
次に、図２を参照して、本発明の実施形態によるトイレ用キャビネットの構成について説明する。図２は、本発明の実施形態による扉部を開いた状態でのトイレ用キャビネットの斜視図である。
【００２７】
図２に示すように、本発明の実施形態によるトイレ用キャビネット１０は、天板１１と、側壁面Ｗ１に固定された側面板１２と、背面板１３と、底板１４と、側面板１２及び背面板１３によって囲まれた収納空間Ｓ２を開閉する扉部１５と、棚ダボ２０によって収納空間Ｓ２内に水平に設置された棚板１６と、によって構成されている。
【００２８】
棚板１６は、図２に示すように、収納空間Ｓ２の開口側の側端面の一部が丸みを帯びたＲ形状を有しており、天板１１及び底板１４も、棚板１６と同様にＲ形状を有している。また、扉部１５は閉じた状態では収納空間Ｓ２の開口側に位置しており、棚板１６の側端面のＲ形状に沿った形状をしている。
【００２９】
側面板１２内面の側端の一部と扉部１５内面の側端の一部は、それぞれ丁番１７によって固定されているため、扉部１５を側面板１２に固定するとともに、丁番１７に内蔵された軸を中心として扉部１５を水平方向に回動して、収納空間Ｓ２を開閉することができる。
【００３０】
また、側面板１２及び背面板１３には、ダボ穴１２ａ，１３ａが上下方向に間隔を置いて複数個形成されている。このダボ穴１２ａ，１３ａは、平行位置にそれぞれ２個ずつ設けられている。ダボ穴１２ａ及び１３ａに挿嵌した棚ダボ２０によって棚板１６を支持することで、棚板１６を収納空間Ｓ２内に設置することができる。
【００３１】
このトイレ用キャビネット１０は、上下を逆さにすることで扉部１５の回動方向を入れ替えることもできる。
【００３２】
＜棚ダボの構成＞
次に、図３を参照して、本発明の実施形態による棚ダボの構成について説明する。図３は、本発明の実施形態による棚ダボの斜視図である。
【００３３】
図３に示すように、本発明の実施形態による棚ダボ２０は、鉛直方向に延びた縦部材２２と、縦部材２２の上端部から前方へ向けて水平方向に延びた上方片２３と、縦部材２２の下端部から上方片２３と同一方向の前方へ向けて水平方向に延びた下方片２４と、ダボ穴１２ａ又は１３ａに挿嵌するための突起部としてのボス２５と、によって構成されている。また、上方片２３下面の前方先端部には上方に向かってやや傾斜した傾斜面２３ａが形成されており、下方片２４上面の前方先端部には下方に向かってやや傾斜した傾斜面２４ａが形成されている。
【００３４】
ボス２５は、円柱形状をしており、縦部材２２のほぼ中心部から後方に向かって延びている。つまり、上方片２３及び下方片２４は、ボス２５とは反対方向へ延びている。また、ボス２５の側周面には、周方向に延びて外周方向へ向けて突起したリブ２５ａが複数形成されている。これにより、ボス２５をダボ穴１２ａ及び１３ａに挿嵌した状態では、リブ２５ａが弾性変形してリブ２５ａの外周面がダボ穴１２ａ，１３ａの内周面と当接した状態となっており、リブ２５ａが抵抗となってボス２５がダボ穴１２ａ及び１３ａから外れにくくなっている。
【００３５】
＜棚ダボによる棚板の支持＞
次に、図４を参照して、本発明の実施形態による棚ダボが棚板を支持した状態について説明する。図４は、本発明の実施形態によるトイレ用キャビネットの図２における点線Ｘの断面を矢印Ａから見た図である。
【００３６】
トイレ用キャビネット１０の収納空間Ｓ２内に棚板１６を設置する方法としては、同じ高さ位置のダボ穴１２，１３ａに棚ダボ２０をボス２５側から挿嵌する。
【００３７】
そして、収納空間Ｓ２の開口側から棚板を、棚ダボ２０の上方片２３と下方片２４との間に棚板１６を挿入することで、棚板１６は収納空間Ｓ２内に水平に設置される。
【００３８】
棚板１６が収納空間Ｓ２内に設置されている状態においては、図４に示すように、棚板１６の下面が下方片２４の上面２４ｂに当接している。つまり、棚板１６の下面を下方片２４によって支持しており、棚板１６の上面と上方片２３の下面２３ｂは近接している。
【００３９】
＜作用・効果＞
次に、本発明の実施形態によるトイレ用キャビネットの作用効果を説明する。
【００４０】
本発明の実施形態においては、棚板１６の側端部の上面が上方片２３の下面２３ｂに近接し、棚板１６の側端部の下面が下方片２４の上面２４ｂに当接する。そのため、棚板１６へ外力が加わることで、棚板１６に力が加わることで棚板１６の側端部が跳ね上がろうとしても、棚板１６の上面が上方片２３の下面２３ｂに接触して棚板１６の上方への動きをブロックすることで棚板１６が跳ね上がるのを抑制することができる。また、棚ダボ２０で棚板１６の側端部を固定するために棚板１６自体を加工する必要がないため、加工の手間を省くことができる。
【００４１】
また、ダボ穴１２ａ又は１３ａに挿嵌されるボス２５の側周面には、外周方向へ向けて突起したリブ２５ａが形成されている。これにより、棚ダボ２０のボス２５をダボ穴１２ａ又は１３ａに挿嵌した状態においてリブ２５ａが抵抗となり、トイレ用キャビネット１０に衝撃が加わったとしても棚ダボ２０がダボ穴１２ａ及び１３ａから外れにくくなる。
【００４２】
また、上方片２３下面の前方先端部には上方に向かってやや傾斜した傾斜面２３ａが形成されており、下方片２４上面の前方先端部には下方に向かってやや傾斜した傾斜面２４ａが形成されている。これにより、棚ダボ２０の前方先端部においては上方片２３と下方片２４との間隔が広くなっているため、上方片２３と下方片２４の間に棚板１６を挿入しやすくなっている。
【００４３】
また、棚板１６は、収納空間Ｓ２の開口側の側端面の一部が丸みを帯びたＲ形状を有しており、天板１１及び底板１４も、棚板１６と同様にＲ形状を有している。また、扉部１５は閉じた状態では収納空間Ｓ２の開口側に位置しており、棚板１６の側端面のＲ形状に沿った形状をしている。これにより、扉部１５が丸みを帯びたＲ形状のトイレ用キャビネット１０とすることで、立方体や直方体のようなトイレ用キャビネットに比べて、狭いトイレ空間を活かすことができるとともに、意匠性を向上させることができる。
【００４４】
＜変形例＞
以上、本願の開示する技術の実施形態について説明したが、本願の開示する技術は、上記に限定されるものではない。
【００４５】
例えば、図５に示すように、収納空間Ｓ２の開口側に前方板３０を新たに設けてもよい。
【００４６】
前方板３０の内面にはダボ穴３０ａが設けられており、ダボ穴３０ａはダボ穴１２ａ，１３ａと同じ高さに上下方向に間隔を置いて複数個形成されている。図５に示すように、棚ダボ２０が挿嵌されたダボ穴１２ａ及び１３ａと同じ高さのダボ穴３０ａに棚ダボ２０を挿嵌して、棚板１６を収納空間Ｓ２内に設置する。
【００４７】
これにより、棚ダボ２０によって固定される棚板１６の側端部の箇所をさらに増やすことができるため、棚板１６の跳ね上がりをさらに抑制することができる。
【００４８】
また、本発明においては、図７，８に示すような棚ダボ１２０であってもよい。図７は、本発明の他の実施形態による棚ダボを用いたトイレ用キャビネットの斜視図である。図８は、本発明の他の実施形態による棚ダボの斜視図である。なお、上記実施形態と同様の構成については説明を省略し、異なる部分についてのみ説明する。
【００４９】
図７に示すように、トイレ用キャビネット１００において、側面板１２の内面における扉部１５側の端部には、ダボ穴１３ａの平行位置にダボ穴１２ｂが上下方向に間隔を置いて設けられている。棚板１６の側面には、ダボ穴１３ａに挿嵌するための凸部１６ａが設けられている。トイレ用キャビネット１００の収納空間Ｓ３内に棚板１６を設置する際は、棚板１６の凸部１６ａをダボ穴１３ａに挿嵌した後に、棚ダボ１２０によって棚板１６の側端部を挟持するとともに棚ダボ１２０をダボ穴１２ｂに挿嵌する。これにより、収納空間Ｓ３内に棚板１６を設置することができる。
【００５０】
図８に示すように、棚ダボ１２０は、鉛直方向に延びた縦部材１２２と、縦部材１２２の上端部から前方へ向けて水平方向に延びた上方片１２３と、縦部材１２２の下端部から前方へ向けて水平方向に延びた下方片１２４と、ダボ穴１２ｂに挿嵌するための突起部としてのボス１２５と、によって構成されている。ボス１２５は、縦部材１２２の側面から右方に向けて延びている。つまり、上方片１２３及び下方片１２４は、ボス１２５に対して直交する方向へ延びている。
【００５１】
上方片１２３の下面には、前後方向へ直線状に延びたリブ１２３ａが複数設けられている。また、下方片１２４の上面においても、直線状に延びたリブ１２４ａが複数設けられている。棚板１６を上方片１２３と下方片１２４との間に挿嵌させる際には、棚板１６とリブ１２３ａと、及び棚板１６とリブ１２４ａとが当接しながら挿嵌される。つまり、リブ１２３ａ，１２４ａを設けることで、上方片１２３の下面全体、及び下方片１２４の上面全体と当接しながら棚板１６が挿嵌される場合に比べて、上方片１２３と下方片１２４との間に挿嵌させる際の棚板１６の接触面積が小さくなる。したがって、棚板１６を上方片１２３及び下方片１２４との間に挿嵌し易くなる。
【００５２】
上方片１２３の上面は中央に向けて下方へ湾曲した湾曲面１２３ｂを有しており、下方片１２４の下面は中央に向けて上方へ湾曲した湾曲面１２４ｂを有している。これにより、棚ダボ１２０を持つときに湾曲面１２３ｂ，１２４ｂに指をフィットさせることができ、棚ダボ１２０が持ち易い。
【００５３】
本発明の他の実施形態におけるトイレ用キャビネット１００は、棚ダボ２０に加えて棚ダボ１２０によって棚板１６の端部を支持しているため、扉部１５が開いた状態において棚板１６が収納空間Ｓ３から外へ飛び出さないように設置することができる。
【００５４】
また、本実施形態においては、側面板１２及び背面板１３の内面に設けたダボ穴１２ａ，１３ａは平行位置にそれぞれ２個ずつとし、１枚の棚板１６に対して４個の棚ダボ２０で棚板１６を支持することとしたが、本発明はこれに限らず、トイレ用キャビネットの大きさ等に応じて、平行位置に設けるダボ穴１２ａ，１３ａの個数を増減させて棚板１６を支持する棚ダボ２０の個数を増減させてもよい。
【００５５】
さらに、本実施形態においては、周方向に延びて外周方向へ向けて突起したリブ２５ａが複数形成されていることとしたが、本発明はこれに限らず、図６に示すようにリブが軸方向に延びて外周方向へ向けて突起したリブ２６ａとしてもよい。
【００５６】
さらに、本実施形態においては、トイレ用キャビネット１０はカウンター２の上方において壁面にＷ１及びＷ２に固定されることとしたが、本発明はこれに限らず、例えばトイレ空間Ｓ１の床に置いたり、カウンター２に載置したりするなど、使用者の使い勝手に応じてトイレ用キャビネット１０の設置位置を適宜変更してもよい。
【００５７】
前述した各実施の形態が備える各要素は、技術的に可能な限りにおいて組み合わせることができ、これらを組み合わせたものも本発明の特徴を含む限り本発明の範囲に包含される。
【符号の説明】
【００５８】
１      大便器
２      カウンター
３      手洗い器
４      トイレットペーパーホルダー
５      収納キャビネット
１０    コーナーキャビネット（トイレ用キャビネット）
１１    天板
１２    側面板
１２ａ  ダボ穴
１３    背面板
１３ａ  ダボ穴
１４    底板
１５    扉部
１６    棚板
１６ａ  凸部
１７    丁番
２０    棚ダボ
２２    縦部材
２３    上方片
２３ａ  傾斜面
２３ｂ  下面
２４    下方片
２４ａ  傾斜面
２４ｂ  上面
２５    ボス（突起部）
２５ａ  リブ（凸部）
３０    前方板
３０ａ  ダボ穴
Ｓ１    トイレ空間
Ｓ２    収納空間
Ｗ１    側壁面
Ｗ２    後壁面
【図１】
2017035438.tif 000003
【図２】
2017035438.tif 000004
【図３】
2017035438.tif 000005
【図４】
2017035438.tif 000006
【図５】
2017035438.tif 000007
【図６】
2017035438.tif 000008
【図７】
2017035438.tif 000009
【図８】
2017035438.tif 000010